(57)【要約】本開示は、ポップアップ式撮影モジュール及び端末を提供し、端末の技術分野に関するものである。前記ポップアップ式撮影モジュールは、モジュールケーシング、撮影ケーシング、ｎ個のコイル、第１磁石及び第２磁石を含み、ｎは１より大きい整数であり、モジュールケーシングには、撮影ケーシングのポップアップホールが形成され、撮影ケーシングの上方の内部には、カメラが備えられ、ｎ個のコイルは並列に備えられ、撮影ケーシングの下方の外壁を軸方向に囲み、第１磁石と第２磁石は、モジュールケーシング内に備えられ、ｎ個のコイルは、第１磁石と第２磁石との間に位置する。本公開の実施例のポップアップ式撮影モジュールは、関連する技術と比較したとき、モーター、ギアアセンブリ、スクリューなどの機械装置によってポップアップや収縮を実現することにたいして、ポップアップ式撮影モジュール構造の複雑さを降下させることができるだけではなく、占めるスペースも節約することができる。【選択図】図１
2021524923.tif 000002
【特許請求の範囲】
【請求項１】
モジュールケーシング、撮影ケーシング、ｎ個のコイル、第１磁石及び第２磁石を含み、前記ｎは１より大きい整数であるポップアップ式撮影モジュールにおいて、
前記モジュールケーシングには、前記撮影ケーシングのポップアップホールが形成され、前記撮影ケーシングの上方の内部には、カメラが備えられ、
前記ｎ個のコイルは並列に備えられ、前記撮影ケーシングの下方の外壁を軸方向に囲み、
前記第１磁石と前記第２磁石は、前記モジュールケーシング内に備えられ、前記ｎ個のコイルは、前記第１磁石と前記第２磁石との間に位置することを特徴とするポップアップ式撮影モジュール。
【請求項２】
前記第１磁石と前記第２磁石は永久磁石であり、極性が互いに相対することを特徴とする請求項１に記載のポップアップ式撮影モジュール。
【請求項３】
前記撮影ケーシングのポップアップ過程で、前記ｎ個のコイルは、第１電磁界の組み合わせを発生し、前記第１磁石と前記第２磁石との駆動により、前記撮影ケーシングをプッシュして、前記モジュールケーシングからポップアップさせ、
前記撮影ケーシングの収縮過程で、前記ｎ個のコイルは、第２電磁界の組み合わせを発生し、前記第１磁石と前記第２磁石との駆動により、前記撮影ケーシングを引き出し、前記モジュールケーシングに収縮させることを特徴とする請求項１に記載のポップアップ式撮影モジュール。
【請求項４】
前記ｎ個のコイルは、第１コイルセットと第２コイルセットとを含み、
前記ポップアップ過程または前記収縮過程において、前記第１コイルセットと前記第２コイルセットは、それぞれ磁性が反対の電磁界を発生し、前記撮影ケーシングのポップアップまたは収縮を駆動することを特徴とする請求項３に記載のポップアップ式撮影モジュール。
【請求項５】
前記モジュールケーシングには、位置制限槽が備えられ、
前記撮影ケーシングには、前記位置制限槽に対応する位置制限部備えられ、
前記ポップアップ過程または前記収縮過程において、前記撮影ケーシングの前記位置制限部は、前記位置制限槽でスライドすることを特徴とする請求項１から請求項４の何れか一項に記載のポップアップ式撮影モジュール。
【請求項６】
前記ポップアップ式撮影モジュールは、第１レール止板と第２レール止板とを含み、
前記第１レール止板は、前記第１磁石と前記撮影ケーシングとの間に備えられ、
前記第２レール止板は前記第２磁石と前記撮影ケーシングとの間に備えられることを特徴とする請求項１から請求項４の何れか一項に記載のポップアップ式撮影モジュール。
【請求項７】
前記ポップアップ式撮影モジュールは、磁気シールド層を含み、前記磁気シールド層は、前記ｎ個のコイルと前記撮影ケーシングとの間に備えられることを特徴とする請求項１から請求項４の何れか一項に記載のポップアップ式撮影モジュール。
【請求項８】
前記ポップアップ式撮影モジュールは、前記ｎ個のコイルと結合する給電回路を含み、前記給電回路は、フレキシブル回路であることを特徴とする請求項１から請求項４の何れか一項に記載のポップアップ式撮影モジュール。
【請求項９】
ボディケーシング、請求項１から請求項８のいずれか一項に記載のポップアップ式撮影モジュール、及び前記ポップアップ式撮影モジュールに対応する電流制御アセンブリを含み、
前記電流制御アセンブリは、給電回路を用いて前記ポップアップ式撮影モジュールの前記ｎ個のコイルとそれぞれ結合されることを特徴とする端末。
【請求項１０】
前記電流制御アセンブリは、
カメラポップアップコマンドを受信し、前記カメラのポップアップコマンドに基づいて、前記ｎ個のコイルに第１電流を供給するように前記給電回路を制御して、前記ｎ個のコイルが前記第１電磁界の組み合わせを発生するようにし、
カメラ収縮コマンドを受信し、前記カメラ収縮コマンドに基づいて、前記ｎ個のコイルに第２電流を供給するように前記給電回路を制御して、前記ｎ個のコイルが前記第２電磁界の組み合わせを発生するようにすることを特徴とする請求項９に記載の端末。
【請求項１１】
前記電流制御アセンブリは、電流変化の情報が保存し、前記電流変化の情報は、各前記コイルが前記ポップアップ過程と前記収縮過程の中で電流が時間の流れに沿って変化する状況を示すことを特徴とする請求項９に記載の端末。
【発明の詳細な説明】
【技術分野】
【０００１】
本願は２０１９年４月３０一提出した中国専利出願２０１９１０３６３５５４．０号の優先権を主張し、上記中国専利出願全ての内容を本願に引用して参考とする。
【０００２】
本公開の実施例は、端末の技術分野に関するものであり、特にポップアップ式撮影モジュール及び端末に関するものである。
【背景技術】
【０００３】
端末のフロントカメラは豊富な機能を提供する。例えば、写真機能、撮影機能、ゲームエンターテイメント機能、ロック解除の支払い機能などを提供する。端末（例えば、フルスクリーン携帯電話）の画面占め割合がますます高くしていたので、フロントカメラが端末の前面パネルに占めるスペースが圧縮される。
フルスクリーンの携帯電話を一例として、関連技術には、フルスクリーンの携帯電話にポップアップ式撮影モジュールを提供するために、上記のポップアップ式撮影モジュールをフルスクリーン携帯電話の中間フレームの上の端に備える。撮影していない状態では、ポップアップ式撮影モジュールは、収縮状態で、フルスクリーン携帯電話の内部に隠す。撮影状態では、ポップアップ式撮影モジュールは、ポップアップ状態で、フルスクリーン携帯電話の中間フレームの上部に露出される。
【発明の概要】
【発明が解決しようとする課題】
【０００４】
関連技術では、上記のポップアップ式撮影モジュールは、モーター、ギアアセンブリ、スクリューなどの機械装置によって実現されるので、構造が複雑であり、占めるスペースが大きい問題が存在する。
【課題を解決するための手段】
【０００５】
本公開の実施例は、ポップアップ式撮影モジュール及び端末を提供する。上記の技術方案は以下の通りである。
【０００６】
本公開の実施例の第１方面によると、モジュールケーシング、撮影ケーシング、ｎ個のコイル、第１磁石及び第２磁石を含み、前記ｎは１より大きい整数であるポップアップ式撮影モジュールにおいて、
前記モジュールケーシングには、前記撮影ケーシングのポップアップホールが形成され、前記撮影ケーシングの上方の内部には、カメラが備えられ、
前記ｎ個のコイルは並列に備えられ、前記撮影ケーシングの下方の外壁を軸方向に囲み、
前記第１磁石と前記第２磁石は、前記モジュールケーシング内に備えられ、前記ｎ個のコイルは、前記第１磁石と前記第２磁石との間に備えられる。
【０００７】
オプションで、前記第１磁石と前記第２磁石は永久磁石であり、極性が互いに相対する。
【０００８】
オプションで、前記撮影ケーシングのポップアップ過程で、前記ｎ個のコイルは、第１電磁界の組み合わせを発生し、前記第１磁石と前記第２磁石との駆動により、前記撮影ケーシングをプッシュして、前記モジュールケーシングからポップアップさせ、
前記撮影ケーシングの収縮過程で、前記ｎ個のコイルは、第２電磁界の組み合わせを発生し、前記第１磁石と前記第２磁石との駆動により、前記撮影ケーシングを引き出し、前記モジュールケーシングに収縮させる。
【０００９】
オプションで、前記ｎ個のコイルは、第１コイルセットと第２コイルセットとを含み、
前記ポップアップ過程または前記収縮過程において、前記第１コイルセットと前記第２コイルセットは、それぞれ磁性が反対の電磁界を発生し、前記撮影ケーシングのポップアップまたは収縮を駆動する。
【００１０】
オプションで、前記モジュールケーシングには、位置制限槽が備えられ、
前記撮影ケーシングには、前記位置制限槽に対応する位置制限部備えられ、
前記ポップアップ過程または前記収縮過程において、前記撮影ケーシングの前記位置制限部は、前記位置制限槽でスライドする。
【００１１】
オプションで、前記ポップアップ式撮影モジュールは、第１レール止板と第２レール止板とを含み、
前記第１レール止板は、前記第１磁石と前記撮影ケーシングとの間に備えられ、
前記第２レール止板は前記第２磁石と前記撮影ケーシングとの間に備えられる。
【００１２】
オプションで、前記ポップアップ式撮影モジュールは、磁気シールド層を含み、前記磁気シールド層は、前記ｎ個のコイルと前記撮影ケーシングとの間に備えられる。
【００１３】
オプションで、前記ポップアップ式撮影モジュールは、前記ｎ個のコイルと結合する給電回路を含み、前記給電回路は、フレキシブル回路である。
【００１４】
本公開の実施例の第２方面によると、ボディケーシング、前記ポップアップ式撮影モジュール、及び前記ポップアップ式撮影モジュールに対応する電流制御アセンブリを含み、
前記電流制御アセンブリは、給電回路を用いて前記ポップアップ式撮影モジュールの前記ｎ個のコイルとそれぞれ結合される。
【００１５】
オプションで、前記電流制御アセンブリは、
カメラポップアップコマンドを受信し、前記カメラのポップアップコマンドに基づいて、前記ｎ個のコイルに第１電流を供給するように前記給電回路を制御して、前記ｎ個のコイルが前記第１電磁界の組み合わせを発生するようにし、
カメラ収縮コマンドを受信し、前記カメラ収縮コマンドに基づいて、前記ｎ個のコイルに第２電流を供給するように前記給電回路を制御して、前記ｎ個のコイルが前記第２電磁界の組み合わせを発生する。
【００１６】
オプションで、前記電流制御アセンブリは、電流変化の情報が保存し、前記電流変化の情報は、各前記コイルが前記ポップアップ過程と前記収縮過程の中で電流が時間の流れに沿って変化する状況を示す。
【００１７】
本公開の実施例の技術案によれば、下記のような有益な効果を含むことができる。
【００１８】
本公開の実施例のポップアップ式撮影モジュールは、コイルが通電された後、磁石と相互に作用して、ポップアップ式撮影モジュールのポップアップと収縮を実現することができる。関連技術と比較したとき、モーター、ギアアセンブリ、スクリューなどの機械装置によってポップアップや収縮を実現することに対して、ポップアップ式撮影モジュール構造の複雑さを降下させることができるだけでなく、チャージされているスペースも節約することができる。
【００１９】
理解するのは、上記の一般的な説明と後述する詳細な説明は、単に例示的で解釈的なものであり、本開示を限定するものではない。
【図面の簡単な説明】
【００２０】
ここの図面は、明細書に併合されて明細書の一部を構成し、本発明に合致する実施例を示し、明細書と一緒に本発明の原理を解釈する。
【図１】本公開の一例示的な実施形態のポップアップ式撮影モジュールの構造の例示図である。
【図２】第１磁石と第２磁石の極性が反対の例示図である。
【図３】第１磁石と第２磁石の極性が反対の例示図である。
【図４】モジュールケーシングの位置制限槽の構造を示す例示図である。
【図５】撮影ケーシングの位置制限部の構造を示す例示図である。
【図６】本公開の一例示的な実施形態の端末の構造の例示図である。
【図７】撮影ケーシングがポップアップ状態である端末の形態の平面図である。
【図８】撮影ケーシングがポップアップ状態である端末の形態の左側面図である。
【図９】撮影ケーシングがポップアップ状態である端末の形態の正面図である。
【図１０】撮影ケーシングがポップアップ状態である端末の形態の右側面図である。
【図１１】撮影ケーシングがポップアップ状態である端末の形態の背面図である。
【図１２】撮影ケーシングがポップアップ状態である端末の形態の底面図である。
【図１３】撮影ケーシングがポップアップ状態である部分的な正面図である。
【図１４】撮影ケーシングがポップアップ状態である部分的な背面図である。
【図１５】撮影ケーシングが収縮状態である端末の形態の平面図である。
【図１６】撮影ケーシングが収縮状態である端末の形態の左側面図である。
【図１７】撮影ケーシングが収縮状態である端末の形態の正面図である。
【図１８】撮影ケーシングが収縮状態である端末の形態の右側面図である。
【図１９】撮影ケーシングが収縮状態である端末の形態の背面図である。
【図２０】撮影ケーシングが収縮状態である端末の形態の底面図である。
【図２１】端末の内部構造の例示図である。
【図２２】撮影ケーシングのポップアップ過程と収縮過程のフローチャートである。
【図２３】電流の変化曲線の例示図である。
【発明を実施するための形態】
【００２１】
以下、例示的な実施例について詳細に説明し、その実例は図面に表わす。下記の説明において、図面に関する説明に対して別々のことを表わさない場合、異なる図面で表わす同じ数字は同一または類似するの要素を表わす。下記の例示的な実施例で説明している実施方式は、本開示と一致するすべての実施方式を代表するものではない。逆に、これらは添付されている請求の範囲に記載される本開示の一方面と一致する装置および方法の一例にすぎない。
【００２２】
図１を参照すると、これは、本公開の一例示的な実施例で提供されるポップアップ式撮影モジュールの構造例示図を示す。上記ポップアップ式撮影モジュールは、モジュールケーシング１０、撮影ケーシング２１、ｎ個のコイル２２、第１磁石２３及び第２磁石２４を含み、ｎは１以上の整数である。
【００２３】
本公開の実施例において、前記カメラは、フロントカメラであることができ、後カメラであることもできる。本公開の実施例は、これについて限定しない。カメラを使用する場合は、ポップアップ式撮影モジュール中の撮影ケーシング２１は、ポップアップ状態で、端末の外部に露出され、カメラを使用していない場合は、ポップアップ式撮影モジュールの撮影ケーシング２１は、収縮状態であり、端末内部に隠す。
【００２４】
本公開の実施例において、前記カメラの種類について限定しない。例えば、上記カメラは、シミュレーションカメラであることができ、デジタルカメラであることもできる。カメラがシミュレーションカメラの場合、より高い画素を提供することができる。
【００２５】
ただし、ポップアップ式撮影モジュールは、１つまたは複数のカメラを含むことができ、それぞれのカメラは、同じ機能を実現でき、または異なる機能を実現することもできる。本公開の実施例は、これについて限定しない。
【００２６】
上記モジュールケーシング１０には、撮影ケーシング２１のポップアップホールが形成され、撮影ケーシング２１上方の内部には、カメラ（図示せず）が備えられる。撮影ケーシング２１がポップアップホールを通って端末外部に露出される場合には、撮影ケーシング２１内のカメラは撮影することができる。
【００２７】
オプションで、前記モジュールケーシング１０は、立方体形状であることができる。
【００２８】
オプションで、前記撮影ケーシング２１のカメラのレンズと反対の一面には、レンズシートが設置されて、カメラを保護することができる。
【００２９】
本公開の実施例において、前記モジュールケーシング１０は端末に固定されて、ポップアップ式撮影モジュール全体を支持することができ、同時にポップアップ式撮影モジュールと端末内部の他の部材を隔離することができるので、シール、ほこり防止、防水などの機能を実現することができる。
【００３０】
上記ｎ個のコイル２２は、並列されるように具備され、軸方向に撮影ケーシング２１の下方の外壁を囲むことができる。上記ｎ個のコイル２２は、コイルアレイを形成する。オプションで、前記ｎ個のコイル２２の分布方向は撮影ケーシング２１のポップアップと収縮方向と一致する。
【００３１】
第１磁石２３及び第２磁石２４は、モジュールケーシング１０内に備えられ、ｎ個のコイル２２は、第１磁石２３と第２磁石２４との間に備えられる。
【００３２】
一実施例において、前記第１磁石２３と第２磁石２４は、永久磁石であることができる。他の一実施例において、前記第１磁石２３と第２磁石２４は、電磁石であることができる。本公開の実施例は、これについて限定しない。
【００３３】
オプションで、前記第１磁石２３と第２磁石２４の極性は、相手になることができる。すなわち、第１磁石２３の撮影ケーシング２１の一端に近い極性は、第２磁石２４の撮影ケーシング２１の一端に近い極性と同じであることができる。例えば、図２を参照すると、第１磁石２３の撮影ケーシング２１の一端に近い部分は、Ｎ極であり、第２磁石２４の撮影ケーシング２１の一端に近い部分もＮ極である。また、例えば、図３を参照すると、第１磁石２３の撮影ケーシング２１の一端に近い部分は、Ｓ極であり、第２磁石２４の撮影ケーシング２１の一端に近い部分もＳ極である。
【００３４】
撮影ケーシング２１のポップアップ過程では、ｎ個のコイル２２は、第１電磁界の組み合わせを発生し、第１磁石２３と第２磁石２４の駆動により、撮影ケーシング２１をプッシュしてモジュールケーシング１０からポップアップさせる。
【００３５】
コイルに電流が通過した後、電磁界を発生することができる。上記電磁界は、磁石の磁場と相互吸引または相互排斥することができる。コイルの電磁界と磁石の磁場との間に互いに吸引する場合には、コイルと磁石は互いに近づき、逆に、コイルの電磁界と磁石の磁場との間に互いに排斥する場合には、コイルと磁石は互いに離れることになる。本公開の実施例において、磁石がモジュールケーシング１０内に具備され、モジュールケーシング１０が端末に固定されるので、磁石は移動することができず、コイルは磁石に近づいたり離れることができるように移動することができる。
【００３６】
オプションで、前記ｎ個のコイルは、第１コイルセット及び第２コイルセットを含むことができる。ここで、第１コイルセットは、モジュールケーシング１０のポップアップホールに近い少なくとも一つのコイルを含み、第２コイルセットは、モジュールケーシング１０のポップアップホールと離れる少なくとも一つのコイルを含む。
【００３７】
ポップアップ過程または収縮過程で、第１コイルセットと第２コイルセットは、それぞれ極性が反対の電磁界を発生し、撮影ケーシングのポップアップまたは収縮を駆動させることができる。
【００３８】
撮影ケーシング２１のポップアップ過程では、前記第１電磁界の組み合わせは、第１コイルセットが発生する第１電磁場と第２コイルセットが発生する第２電磁場を含むことができる。ここで、第１電磁は、第１磁石２３及び第２磁石２４と、互いに吸引する電磁界であり、第２電磁は、第１磁石２３及び第２磁石２４と、互いに排斥する電磁界である。
【００３９】
第１電磁界が第１磁石２３及び第２磁石２４と、互いに吸引する電磁界の場合、第１磁石２３と第２磁石２４は、第１コイルセットに対して吸引力を持つので、第１コイルセットを引き出し、モジュールケーシング１０のポップアップホールに近い方向に移動させる。第２電磁界が第１磁石２３及び第２磁石２４と、互いに排斥する電磁界の場合、第１磁石２３と第２磁石２４は、第２コイルセットに対して排斥力を持つので、第２コイルセットをプッシュして、モジュールケーシング１０のポップアップホールに近い方向に移動させる。これにより、ｎ個のコイル２２は、第１磁石２３と第２磁石２４の駆動により、撮影ケーシング２１をプッシュして、モジュールケーシング１０からポップアップさせる。
【００４０】
撮影ケーシング２１の収縮過程では、ｎ個のコイル２２は、第２電磁界の組み合わせを発生し、第１磁石２３と第２磁石２４の駆動により、撮影ケーシング２１をモジュールケーシングに収縮させる。
【００４１】
第１コイルセットと第２コイルセットに対して前に説明したので、ここでその説明を省略する。
【００４２】
撮影ケーシング２１の収縮過程では、第２電磁界の組み合わせは、第１コイルセットが発生する第３電磁界と第２コイルセットが発生する第４電磁界を含む。ここで、第３電磁は、第１磁石２３及び第２磁石２４と、互いに排斥する電磁界であり、第４電磁は、第１磁石２３及び第２磁石２４と、互いに吸引する電磁界である。
【００４３】
第３電磁界が第１磁石２３及び第２磁石２４と、互いに排斥する電磁界の場合、第１磁石２３と第２磁石２４は、第１コイルセットに対して排斥力を持つので、第１コイルセットをプッシュして、モジュールケーシング１０のポップアップホールと離れる方向に移動させる。第４電磁界が第１磁石２３及び第２磁石２４と、互いに吸引する電磁界の場合、第１磁石２３と第２磁石２４は、第２コイルセットに対して吸引力を持つので、第２コイルセットを引き出し、モジュールケーシング１０のポップアップホールと離れる方向に移動させる。これにより、ｎ個のコイル２２が第１磁石２３と第２磁石２４の駆動により、撮影ケーシング２１をモジュールケーシング１０に収縮させる。
【００４４】
オプションで、図４を参照すると、モジュールケーシング１０には、位置制限槽１１が備えられる。図５を参照すると、撮影ケーシング２１には、位置制限槽１１と対応する位置制限部１２が備えられる。ポップアップ過程または収縮過程で、撮影ケーシング２１の位置制限部１２は、位置制限槽１１でスライドする。
【００４５】
上記位置制限槽１１は、モジュールケーシング１０の内壁に備えられる。位置制限槽１１は、長方形の槽またはＵ型槽またはＴ型槽などであることができる。本公開の実施例は、これについて限定しない。
【００４６】
上記位置制限部１２は、撮影ケーシング２１のモジュールケーシング１０のポップアップホールと離れる一側に備えられる。一例示的な実施形態において、前記位置制限部１２は、撮影ケーシング２１に備えられる位置制限ネジや位置制限ボルトであることができる。上記位置制限スクリューまたは位置制限ボルトは位置制限槽１１に対応する。別の一例示的な実施形態において、前記位置制限部１２は、撮影ケーシング２１に一体に形成されたボス部であることができ、上記ボス部は位置制限槽１１に対応する。
【００４７】
一方、本公開の実施例において、位置制限槽１１の数量について限らず、一つまたは複数個であることができ、これに対応されるように、位置制限部１２も一つまたは複数個であることができる。
【００４８】
本公開の実施例において、位置制限槽と位置制限部は、互いに対応される。一方面において、撮影ケーシングは、ポップアップ過程または収縮過程で、位置制限部は位置制限槽内でスライドし、別の一方面において、位置制限槽の長さが制限されているので、撮影ケーシングの最大移動距離にたいして制限するので、撮影ケーシングがモジュールケーシングから脱離することを防止することができる。
【００４９】
オプションで、図１を参照すると、ポップアップ式撮影モジュールは、第１レール止板２５と第２レール止板２６をさらに含む。ここで、第１レール止板２５は、第１磁石２３と撮影ケーシング２１との間に備えられ、第２レール止板２６は、第２磁石２４と撮影ケーシング２１との間に備えされる。
【００５０】
前記第１レール止板２５と第２レール止板２６は、モジュールケーシング１０の内部の両側に対称となるように備えられ、第１レール止板２５が第１磁石２３と撮影ケーシング２１との間に備えられて、第１磁石２３と撮影ケーシング２１を隔離させ、第２レール止板２６が、第２磁石２４と撮影ケーシング２１との間に備えられて第２磁石２４と撮影ケーシング２１を隔離させる。
【００５１】
本公開の実施例において、レール止板によって磁石と撮影ケーシングが隔離されるので、撮影ケーシングがポップアップ過程と収縮過程で発生する摩擦が磁石に対して損傷させることを避けることができ、また、撮影ケーシングのポップアップと収縮に対して良い潤滑性を提供することができる。
【００５２】
オプションで、図５を参考すると、コイルの断面に沿って切開した後の例示図を示す。ポップアップ式撮影モジュールは、磁気シールド層２７をさらに含む。磁気シールド層２７は、ｎ個のコイル２２と撮影ケーシング２１との間に備えられる。
【００５３】
本公開の実施例において、コイルの内部環に磁気シールド層を備えることにより、コイルが通電された後に発生される電磁界の磁界強度を向上させることができ、カメラの動作の干渉を降下させることができる。
【００５４】
オプションで、図１を参照すると、ポップアップ式撮影モジュールは、ｎ個のコイルと結合する給電回路２８をさらに含むことができる。給電回路２８は、フレキシブル回路であることができる。上記給電回路２８は、ｎ個のコイルに給電する。一方、前記給電回路２８は、カメラに給電することができる。
【００５５】
上記のように、本開示の実施例のポップアップ式撮影モジュールは、コイルが通電された後、磁石と相互に作用することにより、ポップアップ式撮影モジュールのポップアップと収縮を実現することができる。関連技術と比較したとき、モーター、ギアアセンブリ、スクリューなどの機械装置によってポップアップや収縮を実現することにたいして、ポップアップ式撮影モジュールの構造の複雑さを降下させることができるだけでなく、占めるスペースも節約することができる。
【００５６】
一方、本公開の実施例において、位置制限槽と位置制限部互いに対応されることによって、撮影ケーシングがポップアップ過程または収縮過程で、位置制限部は位置制限槽でスライドすることができ、かつ、位置制限槽の長さが制限されることによって、撮影ケーシングの最大移動距離に対して制限することができるので、撮影ケーシングがモジュールケーシングから脱離することを防止することができる。
【００５７】
次に、本公開の実施例において、レール止板が磁石と撮影ケーシングを隔離させることで、撮影ケーシングがポップアップ過程と収縮過程で発生する摩擦が磁石に対して損傷させることを避けることができ、また、撮影ケーシングのポップアップと収縮に対して良い潤滑性を提供することができる。
【００５８】
また、本公開の実施例において、コイルの内部環に磁気シールド層を備えることにより、コイルが通電された後に発生される電磁界の磁界強度を向上させ、カメラの動作の干渉を降下させることができる。
【００５９】
図６を参照すると、本開示の一例示的な実施形態の端末の構造の例示図を示す。上記端末は、スマートフォン、タブレット、電子書籍リーダー、ゲーム機、ウェアラブル機器、医療機器等であることができる。
【００６０】
端末２００は、ボディケーシング２１０、ポップアップ式撮影モジュール２２０、およびポップアップ式撮影モジュール２２０に対応する電流制御アセンブリ２３０を含むことができる。
【００６１】
上記ボディケーシング２１０は、端末２００の本体フレームである。ボディケーシング２１０は、一般的に六面体形状である。上記六面体の一部の端または角は円形円弧面取りを形成することができる。ボディケーシング２１０の正面は、一般的にフィレ長方形または直角の正方形であることができる。オプションで、ボディケーシング２１０は、中間フレーム２１１を含むことができる。中間フレーム２１１は、ボディケーシング２１０の周りのフレームである。
【００６２】
上記ポップアップ式撮影モジュール２２０は、モジュールケーシング１０、カメラ、撮影ケーシング２１、ｎ個のコイル２２、第１磁石２３及び第２磁石２４を含む。ｎは１より大きい整数である。カメラを使用する場合は、特にフロントカメラを使用する場合は、ポップアップ式撮影モジュール２２０中の撮影ケーシング２１は、ポップアップ状態で端末の外部に露出されるので、撮影ケーシング２１内のカメラは撮影することができる。図７から図１２を参照すると、撮影ケーシングがポップアップ状態の端末の形態の六面図を例示的に示し、順番に、平面図、左側面図、正面図、右側面図、背面図および底面図である。一方、図１３及び図１４を参照すると、撮影ケーシング２１がポップアップ状態の部分的な正面図と背面図を例示的に示している。フロントカメラを使用しない場合は、撮影ケーシング２１は、収縮状態であり、端末の内部に隠すので、撮影ケーシング２１内のカメラを保護することができる。図１５から図２０を参照すると、撮影ケーシングが収縮状態である端末の形態の六面図を例示的に示す図であり、順序に、平面図、左側面図、正面図、右側面図、背面図および底面図である。
【００６３】
図２１を参照すると、端末の内部構造の例示図を例示的に示している。ポップアップ式撮影モジュール２２０のモジュールケーシング１０がボディケーシング２１０に固定して結合され、ボディケーシング２１０と収容キャビティを形成して、撮影ケーシング２１が収容キャビティ内に位置する。
【００６４】
オプションで、モジュールケーシング１０は、ネジ接続、溶接、接着などの方法によりボディケーシング２１０に固定して結合することができる。
【００６５】
ポップアップ式撮影モジュール２２０に対し、上記で説明したので、ここで、その説明を省略する。
【００６６】
前記電流制御アセンブリ２３０は、給電回路により、ポップアップ式撮影モジュール２２０のｎ個のコイル２２のそれぞれと結合して、各コイルに供給される電流を独立に制御して電磁界の組み合わせを発生させることができ、磁石の磁場と相互作用して、撮影ケーシング２１のポップアップと収縮を制御することができる。
【００６７】
オプションで、図６を参照すると、端末２００は、ディスプレイ２４０を含むことができる。ディスプレイ２４０は、画像と色彩を表示することができる。上記ディスプレイ２４０は、タッチディスプレイであることができ、タッチディスプレイは、表示する機能以外に、ユーザーのタッチ操作（例えば、クリック、スライド、押しなどの操作）の機能を備える。一方、前記ディスプレイ２４０は、ＯＬＥＤ（Ｏｒｇａｎｉｃ  Ｌｉｇｈｔ−Ｅｍｉｔｔｉｎｇ  Ｄｉｏｄｅ、有機発光ダイオード）スクリーンであることができる。
【００６８】
オプションで、前記端末２００は、処理アセンブリ２５０をさらに含むことができる。上記処理アセンブリ２５０は、端末２００全体の中央制御システムであることができ、ロジック部分のコントロールセンターであることができる。処理アセンブリ２５０は、メモリ内のソフトウェアを実行し、及びメモリ内のデータベースを使用して端末を制御することができる。上記処理アセンブリは、ＣＰＵ（Ｃｅｎｔｒａｌ  Ｐｒｏｃｅｓｓｉｎｇ  Ｕｎｉｔ、中央プロセッサ）であることができ、またはＭＣＵ（Ｍｉｃｒｏ  Ｃｏｎｔｒｏｌ  Ｕｎｉｔ、マイクロ処理装置）であることができる。
【００６９】
ただし、上記電流制御アセンブリ２３０は、前記処理アセンブリ２５０に集成されることができ、または、処理アセンブリ２５０とは別に設置されて処理アセンブリ２５０と結合することができる。
【００７０】
一方、前記端末２００は、電源２６０をさらに含むことができる。前記電源２６０は、端末２００の全体部材に電力を供給する。本公開の実施例において、前記電源２６０は、電流制御アセンブリ２３０と処理アセンブリ２５０とそれぞれ結合されて電流制御アセンブリ２３０と処理アセンブリ２５０に電源を供給することができる。
【００７１】
上記のように、本開示の実施形態の端末は、ポップアップ式撮影モジュールを含むことができる。上記ポップアップ式撮影モジュールは、電流制御アセンブリの制御により、撮影ケーシングのポップアップと収縮を実現することができる。関連技術と比較したとき、モーター、ギアアセンブリ、スクリューなどの機械装置によってポップアップや収縮を実現することにたいして、ポップアップ式撮影モジュール構造の複雑さを降下させただけでなく、占める空間も節約することができる。
【００７２】
以下、端末２００のポップアップ式撮影モジュール２２０の撮影ケーシング２１のポップアップ過程と収縮過程について詳細に説明する。本実施例において、電流制御アセンブリ２３０と処理アセンブリ２５０は、互いに独立して端末２００に備えられる。
【００７３】
図２２を参照すると、撮影ケーシング２１のポップアップ過程と収縮過程のフローチャートを例示的に示している。
【００７４】
端末２００の処理アセンブリ２５０は、ユーザーが端末２００を操作してトリガされたコマンドを受信する。上記のコマンドは、カメラポップアップコマンドまたはカメラ収縮コマンドであることができる。処理アセンブリ２５０は、上記コマンドを電流制御アセンブリ２３０に発送する。電流制御アセンブリ２３０は、給電回路によって撮影ケーシングのｎ個のコイル２２の中の各コイルの電流を制御して、撮影ケーシング２１のポップアップまたは収縮を制御する。ここで、電源２６０は、前記電流制御アセンブリ２３０と処理アセンブリ２５０に電源を供給する。
【００７５】
つぎに、電流制御アセンブリ２３０が撮影ケーシング２１のポップアップを制御する過程と収縮を制御する過程について説明する。
【００７６】
１、撮影ケーシング２１のポップアップ過程では、電流制御アセンブリ２３０は、カメラポップアップコマンドを受信し、カメラポップアップコマンドに基づいて、ｎ個のコイル２２に第１電流を供給するように給電回路を制御して、ｎ個のコイル２２が第１電磁界の組み合わせを発生するようにする。
【００７７】
上記カメラポップアップコマンドは、電流制御アセンブリ２３０がｎ個のコイル２２に第１電流を供給するようにするためのコマンドである。カメラポップアップコマンドは、撮影アプリケーションを操作して、トリガすることができる。端末は、上記の撮影アプリケーションを利用して、カメラを使用することができる。上記撮影アプリケーションは、オペレーティングシステム自体が持っている撮影アプリケーションであることができ、第３者が提供する撮影アプリケーションであることもできる。本公開の実施例は、これについて限定しない。前記第３者が提供する撮影アプリケーションは、オペレーティングシステムの最初にインストールされるか、ユーザーがダウンしてインストールされることもできる。
【００７８】
ユーザーは端末にインストールされた撮影アプリケーションのアイコンをクリックして、端末で上記撮影アプリケーションを動作させることができる。また、ユーザーは、音声の方式を用いて上記撮影アプリケーションを動作させることができる。例えば、ユーザーは「カメラ起動」の音声を録音して、対応的に、端末が上記音声を収集した後、前記撮影アプリケーションを操作することができる。端末は、上記の撮影アプリケーションを操作した後、上記撮影アプリケーションを利用して、カメラが撮影できるようにすることができる。
【００７９】
一方、端末に実体ボタンまたはタッチコントロールボタンを設置したり、またはユーザーの音声、手の姿勢トリガーなどにより撮影アプリケーションを操作して、前記カメラのポップアップコマンドをトリガすることができる。
【００８０】
電流制御アセンブリは、前記カメラのポップアップコマンドを受信した後、現在の撮影ケーシング２１のポップアップが必要であることを知って、電流制御アセンブリは、給電回路を制御してｎ個のコイル２２に第１電流を供給する。前記第１電流は、ｎ個のコイル２２が第１電磁界の組み合わせが発生するようにする。前記第１電磁組み合わせは、第１コイルセットが発生する第１電磁場と第２コイルセットが発生する第２電磁場を含む。ここで、第１電磁は、第１磁石及び第２磁石と互いに吸引する電磁界であり、第２電磁は、第１磁石及び第２磁石と互いに排斥する電磁界であるので、撮影ケーシングのポップアップを駆動することができる。
【００８１】
２、撮影ケーシング２１の収縮過程では、電流制御アセンブリ２３０は、カメラの収縮コマンドを受信する。カメラ収縮コマンドに基づいて、ｎ個のコイル２２に第２電流を供給するように給電回路を制御して、ｎ個のコイルが第２電磁界の組み合わせを発生するようにする。
【００８２】
撮影ケーシング２１のポップアップ過程と対応するように、前記カメラ収縮コマンドは、電流制御アセンブリ２３０がｎ個のコイル２２に第２電流を提供するようにするコマンドである。カメラ収縮コマンドは、撮影アプリケーションをオフすることにより、トリガされることができる。
【００８３】
電流制御アセンブリ２３０は、前記カメラの収縮コマンドを受信した後、現在の撮影ケーシング２１を収縮する必要があることを知って、電流制御アセンブリは、給電回路を制御してｎ個のコイル２２に第２電流を供給する。前記第２電流は、ｎ個のコイル２２が第２電磁界の組み合わせを発生するようにする。前記第２電磁組み合わせは、第１コイルセットが発生する第３電磁界と第２コイルセットが発生する第４電磁界を含む。ここで、第３電磁界は、第１磁石２３及び第２磁石２４と、互いに排斥する電磁界であり、第４電磁界は、第１磁石２３及び第２磁石２４と、互いに吸引する電磁界であるので、撮影ケーシング２１の収縮を駆動することができる。
【００８４】
オプションで、前記電流制御アセンブリ２３０には、電流変化の情報が保存されることができる。電流変化の情報は、各コイルがポップアップ過程と収縮過程中の電流が時間の経過に応じて変化する状況を示す。
【００８５】
前記電流変化の情報は、電流制御アセンブリ２３０にあらかじめ保存することができる。撮影ケーシング２１のポップアップ過程または収縮過程で、前記電流変化の情報を直接使用することができる。前記電流変化の情報は、一つの周期（撮影ケーシング２１のポップアップ過程と収縮過程を含む）のうち、電流が時間の流れに沿って変化する曲線であることができる。
【００８６】
図２３を参照すると、電流の変化曲線の例図を例示的に示している。前記電流変化曲線は、ポップアッププロセスの電流変化曲線と収縮過程の電流変化曲線を含む。
【００８７】
ここで、曲線ｉｎは、第ｎ個のコイルのうち電流の変化を示す。例えば、曲線ｉ１は第１のコイルの中の電流の変化を示し、曲線ｉ２は第２のコイルの中の電流の変化を示し、曲線ｉ３は、第３のコイルの中の電流の変化などを示す。Ｉｍａｘは、全体の周期中の電流の最大値を示し、−Ｉｍａｘは全体の周期の中で、逆電流の最大値を示し、ｔは時間を示す。
【００８８】
図２３からわかるように、前記電流の変化曲線は、正弦曲線と類似している。これは、第１磁石２３と第２磁石２４の極性が相対であるので、第１磁石２３と第２磁石２４との間には、磁場強度が最も弱い位置が示し、上記の位置の両側の磁気ラインは、互いに反対である。したがって、第１磁石２３と第２磁石２４の磁石両端（つまり磁場強度が最も大きい）の位置でのみ電流を最大に印加して、コイルの推進効率を向上させ、発熱を減らし、電気消費を降下させることができる。
【００８９】
本公開の実施例において、電流制御アセンブリは、ｎ個のコイルのうち、各コイルの電流変化の情報を事前に保存する。電流制御アセンブリは、前記電流変化の情報を直接使用してｎ個のコイルのうちの電流を制御して、撮影ケーシングのポップアップと収縮を制御することができる。関連技術と比較したとき、モーター、ギアアセンブリ、スクリューなどの機械装置を使用することにたいして、撮影ケーシングのポップアップと収縮効率を向上させることができ、ポップアップや収縮の時間を短縮させることができる。
【００９０】
理解すべきことは、本文に記載されている「複数個」は、２つまたは２つ以上を指す。「および／または」は、関連対象の関連関係を説明し、これは３つの関係が存在する。例えば、Ａおよび／またはＢは、Ａが単独で存在するか、ＡとＢが同時に存在するか、Ｂが単独で存在する３つの状況を示すことができ、符号「／」は、前後の関連対象が「または」との関係を指す。
【００９１】
以上、本公開例示的な実施例は、本開示を限定するものではない。本開示の精神および原則に属するものであれば、いかなる修正、等価交換と改善などはすべて本開示の保護範囲に含まれる。
【図１】
2021524923.tif 000003
【図２】
2021524923.tif 000004
【図３】
2021524923.tif 000005
【図４】
2021524923.tif 000006
【図５】
2021524923.tif 000007
【図６】
2021524923.tif 000008
【図７】
2021524923.tif 000009
【図８】
2021524923.tif 000010
【図９】
2021524923.tif 000011
【図１０】
2021524923.tif 000012
【図１１】
2021524923.tif 000013
【図１２】
2021524923.tif 000014
【図１３】
2021524923.tif 000015
【図１４】
2021524923.tif 000016
【図１５】
2021524923.tif 000017
【図１６】
2021524923.tif 000018
【図１７】
2021524923.tif 000019
【図１８】
2021524923.tif 000020
【図１９】
2021524923.tif 000021
【図２０】
2021524923.tif 000022
【図２１】
2021524923.tif 000023
【図２２】
2021524923.tif 000024
【図２３】
2021524923.tif 000025
【国際調査報告】
2021524923.tif 000026
2021524923.tif 000027
2021524923.tif 000028
2021524923.tif 000029